(57)【特許請求の範囲】
【請求項１】
複数の画像データを記憶した第１の記憶手段と、
配色として適当な２つの色味の組み合わせを複数記憶した第２の記憶手段と、前記複数の画像データうちの１つが検索条件として選択された場合、選択された画像データの特徴色と組み合わせて記憶されている色味を第２の記憶手段から抽出し、この第２の記憶手段から抽出された色味を特徴色とする画像データを第１の記憶手段から検索結果として抽出する処理手段と
を備えたことを特徴とする情報処理装置。
【請求項２】
前記第２の記憶手段は、さらに、各組み合わせに対するイメージを各組み合わせに対応づけて記憶しており、
前記処理手段は、検索条件として、前記複数の画像データのうちの１つが選択され、かつ、前記イメージのうちの１つが選択された場合、選択された画像データの特徴色と組み合わせて記憶され、かつ、その組み合わせに前記選択されたイメージが対応づけられている色味を第２の記憶手段から抽出し、この第２の記憶手段から抽出された色味を特徴色とする画像データを第１の記憶手段から検索結果として抽出することを特徴とする請求項１に記載の情報処理装置。
【請求項３】
前記特徴色は、各画像データに付加されて、前記第１の記憶手段に記憶されていることを特徴とする請求項１に記載の情報処理装置。
【請求項４】
前記特徴色は、検索処理時に、前記処理手段により各画像データから自動抽出されることを特徴とする請求項１に記載の情報処理装置。
【請求項５】
（１）第１の記憶手段に記憶された複数の画像データのうちの１つを検索条件として選択し、
（２）配色として適当な２つの色味の組み合わせを複数記憶した第２の記憶手段から、前記ステップ（１）で選択された画像データの特徴色と組み合わせて記憶されている色味を抽出し、
（３）第２の記憶手段から抽出した色味を特徴色とする画像データを第１の記憶手段から検索結果として抽出する、
ステップからなることを特徴とする情報処理方法。
【請求項６】
前記第２の記憶手段は、さらに、各組み合わせに対するイメージを各組み合わせに対応づけて記憶しており、
前記ステップ（１）は、さらに、検索条件として前記イメージのうちの１つを選択するステップを有し、
前記ステップ（２）において、前記ステップ（１）で選択された画像データの特徴色と組み合わせて記憶され、かつ、その組み合わせに前記選択されたイメージが対応づけられている色味を第２の記憶手段から抽出することを特徴とする請求項５に記載の情報処理方法。
【請求項７】
前記特徴色は、各画像データに付加されて、前記第１の記憶手段に記憶されていることを特徴とする請求項５に記載の情報処理方法。
【請求項８】
さらに、前記特徴色を、各画像データから自動抽出するステップを有することを特徴とする請求項５に記載の情報処理方法。
【請求項９】
コンピュータを、第１の記憶手段に記憶された複数の画像データのうちの１つを検索条件として選択する選択手段、配色として適当な２つの色味の組み合わせを複数記憶した第２の記憶手段から前記選択手段により選択された画像データの特徴色と組み合わせて記憶されている色味を抽出する第１の抽出手段、第１の抽出手段により抽出された色味を特徴色とする画像データを第１の記憶手段から検索結果として抽出する第２の抽出手段として機能させるプログラムを記録した媒体。
【請求項１０】
前記第２の記憶手段は、さらに、各組み合わせに対するイメージを各組み合わせに対応づけて記憶しており、
前記選択手段は、さらに、検索条件として前記イメージのうちの１つを選択し、
前記第１の抽出手段は、前記選択手段により選択された画像データの特徴色と組み合わせて記憶され、かつ、その組み合わせに前記選択されたイメージが対応づけられている色味を第２の記憶手段から抽出することを特徴とする請求項９に記載のプログラムを記録した媒体。
【請求項１１】
前記特徴色は、各画像データに付加されて、前記第１の記憶手段に記憶されていることを特徴とする請求項９に記載のプログラムを記録した媒体。
【請求項１２】
前記プログラムは、前記コンピュータを、さらに、検索処理時に、前記特徴色を各画像データから自動抽出する自動抽出手段として機能させることを特徴とする請求項９に記載のプログラムを記録した媒体。
【発明の詳細な説明】
【０００１】
【発明の属する技術分野】
本発明は、画像データを検索する情報処理装置、情報処理方法、及び、プログラム（を記録した媒体）に関する。
【０００２】
【従来の技術】
従来より、画像データを保存、管理するデータベース・システムが提供されている。
【０００３】
一般に、かかる画像データのデータベース・システムでは、作成日、ファイル名、ファイルフォーマットなどの属性情報と、キーワード、色味などのキー情報とが各画像データに対応づけられて、当該画像データとともに保存されている。
【０００４】
通常、上記の属性情報のほとんどは、システムが自動的に設定する。また、近年ではキー情報（特に色味）についても、画像データの画像処理を通して自動的に設定できるようになってきている。尚、ここで色味とは、例えば、色相、明度、彩度（ＨＬＳ空間）により特定される１つ１つの色のことをいう。
【０００５】
上記のキー情報は、データベースに保存された画像データの中から所望の画像データを検索する際に用いられる。例えば、ある特定の言葉を検索条件として指定して、検索を実行すると、その言葉と同じ言葉（キーワード）をキー情報として付加されている画像データが検索結果として抽出される。
【０００６】
上記の従来の画像データのデータベース・システムにおいて、色を用いて所望の画像データを検索しようとする場合、色そのもの（色味）を検索条件として指定し、この指定された色味またはそれに近い色味をキー情報として付加されている画像データを検索するようにしていた。
【０００７】
【発明が解決しようとする課題】
ところで、色はそれ単体のイメージ（印象）に加えて、他の色との組み合わせ、すなわち、配色によって、様々な異なるイメージを有する。また、配色には、好ましい（適合する）配色と、そうでない配色とが存在する。このため、画像データのデータベース・システムにおける検索の目的として、ある画像データ（が表す画像）と配色として適当な画像データ（が表す画像）を抽出するということが考えられる。
【０００８】
しかし、上記の従来の画像データのデータベース・システムではこのような目的の検索を行うことは非常に困難であった。
【０００９】
本発明の目的は、ある画像データと配色として適合する画像データを、容易な操作で検索することができる装置、方法及びプログラム（を記録した媒体）を提供することである。
【００１０】
【課題を解決するための手段】
上記の目的を達成するための具体的手段として、本発明は、複数の画像データを記憶した第１の記憶手段と、配色として適当な２つの色味の組み合わせを複数記憶した第２の記憶手段と、前記複数の画像データうちの１つが検索条件として選択された場合、選択された画像データの特徴色と組み合わせて記憶されている色味を第２の記憶手段から抽出し、この第２の記憶手段から抽出された色味を特徴色とする画像データを第１の記憶手段から検索結果として抽出する処理手段とを備えた情報処理装置を提供する。
【００１１】
上記の情報処理装置において、第２の記憶手段は、さらに、各組み合わせに対するイメージを各組み合わせに対応づけて記憶しており、処理手段は、検索条件として、前記複数の画像データのうちの１つが選択され、かつ、前記イメージのうちの１つが選択された場合、選択された画像データの特徴色と組み合わせて記憶され、かつ、その組み合わせに前記選択されたイメージが対応づけられている色味を第２の記憶手段から抽出し、この第２の記憶手段から抽出された色味を特徴色とする画像データを第１の記憶手段から検索結果として抽出するようにしてもよい。
【００１２】
さらに、上記の目的を達成するための具体的手段として、本発明は、以下のステップからなる情報処理方法を提供する。すなわち、（１）第１の記憶手段に記憶された複数の画像データのうちの１つを検索条件として選択し、（２）配色として適当な２つの色味の組み合わせを複数記憶した第２の記憶手段から、前記ステップ（１）で選択された画像データの特徴色と組み合わせて記憶されている色味を抽出し、（３）第２の記憶手段から抽出した色味を特徴色とする画像データを第１の記憶手段から検索結果として抽出する。
【００１３】
上記の情報処理方法において、前記第２の記憶手段は、さらに、各組み合わせに対するイメージを各組み合わせに対応づけて記憶しており、ステップ（１）は、さらに、検索条件として前記イメージのうちの１つを選択するステップを有し、ステップ（２）において、ステップ（１）で選択された画像データの特徴色と組み合わせて記憶され、かつ、その組み合わせに前記選択されたイメージが対応づけられている色味を第２の記憶手段から抽出するようにしてもよい。
【００１４】
さらに、上記の目的を達成するための具体的手段として、本発明は、コンピュータを、第１の記憶手段に記憶された複数の画像データのうちの１つを検索条件として選択する選択手段、配色として適当な２つの色味の組み合わせを複数記憶した第２の記憶手段から前記選択手段により選択された画像データの特徴色と組み合わせて記憶されている色味を抽出する第１の抽出手段、第１の抽出手段により抽出された色味を特徴色とする画像データを第１の記憶手段から検索結果として抽出する第２の抽出手段として機能させるプログラムを記録した媒体を提供する。
【００１５】
上記のプログラムにおいて、前記第２の記憶手段は、さらに、各組み合わせに対するイメージを各組み合わせに対応づけて記憶しており、前記選択手段は、さらに、検索条件として前記イメージのうちの１つを選択し、前記第１の抽出手段は、前記選択手段により選択された画像データの特徴色と組み合わせて記憶され、かつ、その組み合わせに前記選択されたイメージが対応づけられている色味を第２の記憶手段から抽出するようにしてもよい。
【００１６】
上記の各発明において、画像データの特徴色は、予め各画像データに付加して第１の記憶手段に記憶するようにしてもよいし、或いは、検索処理時に各画像データから自動抽出するようにしてもよい。
【００１７】
【発明の実施の形態】
以下、本発明の好適な一実施の形態について、添付の図面を参照しつつ、説明する。
【００１８】
図１は、本実施形態の情報処理装置（以下、「システム」という。）の概略構成図である。図１に示すように、本システムは、中央演算処理ユニット（以下、「ＣＰＵ」という。）を有する制御装置１を備える。制御装置１は、本システム全体を制御するものであり、以下の各装置が接続されている：画像あるいは文字等の表示や、操作のための表示等を行うディスプレイ２；各種入力、指示操作等を行うためのキーボード３およびマウス４；データ等を格納するハードディスク装置６；文字や画像データ等を印刷するプリンタ７；画像データを取り込むためのスキャナ８；ＣＤ−ＲＯＭ９ａに格納されたデータを読み出すためのＣＤ−ＲＯＭドライブ装置９ｂ；及び、音声出力のためのスピーカ１０；音声入力のためのマイクロホン１１。
【００１９】
また、制御装置１は、記録媒体としてのフロッピーディスク５ａにデータやプログラムを書き込み、若しくは、フロッピーディスク５ａに格納されたデータやプログラムを読み出すためのフロッピーディスクドライブ装置５ｂを備える。このフロッピーディスクドライブ装置５ｂは、上記の各装置のように、制御装置１と別体に設けてもよい。
【００２０】
図２は、本システム全体のブロック図である。制御装置１は、例えばインテル社製のペンティアム等のＣＰＵ２０１を中心として構成される。ＣＰＵ２０１には、データバス２２０を介して、本システムを制御するプログラムが格納されているＲＯＭ２０３と、ＣＰＵ２０１が制御のために実行するプログラムやデータを一時的に格納するＲＡＭ２０４とが接続されている。ＣＰＵ２０１には、さらに、データバス２２０を介して、以下の回路が接続されている：ディスプレイ２を制御して、画像あるいは文字等の表示を行う表示制御回路２０５；キーボード３からの入力を転送制御するキーボード制御回路２０６；マウス４からの入力を転送制御するマウス制御回路２０７；フロッピーディスクドライブ装置５ｂを制御するフロッピーディスクドライブ装置制御回路２０８；ハードディスク装置６を制御するハードディスク装置制御回路２０９；プリンタ７への出力を制御するプリンタ制御回路２１０；スキャナ８を制御するスキャナ制御回路２１１；ＣＤ−ＲＯＭドライブ装置９ｂを制御するＣＤ−ＲＯＭドライブ装置制御回路２１２；スピーカ１０を制御するスピーカ制御回路２１３；及び、マイクロホン１１を制御するマイクロホン制御回路２１４。
【００２１】
また、ＣＰＵ２０１には、本システムを動作させるために必要な基準クロックを発生させるためのクロック２０２が接続されている。さらに、ＣＰＵ２０１には、各種拡張ボードを接続するための拡張スロット２１５がデータバス２２０を介して接続されている。なお、拡張スロット２１５にＳＣＳＩＩボードを接続し、このＳＣＳＩＩボードを介してフロッピーディスクドライブ装置５ｂ、ハードディスク装置６、スキャナ８、ＣＤ−ＲＯＭドライブ装置９ｂ等を接続するようにしてもよい。
【００２２】
なお、本実施形態においては、データ等の記録媒体としてフロッピーディスク５ａ及びハードディスク装置６を用いているが、光磁気ディスク（ＭＯ）等の他の記録媒体を用いてもよい。また、画像データ入力装置としてスキャナ８を用いているが、デジタルカメラ（デジタルスチルカメラ）やデジタルビデオカメラ等の他のデータ入力装置を用いてもよい。さらにまた、出力装置としてプリンタ７を用いているが、デジタル複写機等の他の出力装置を用いてもよい。
【００２３】
また、本実施形態においては、画像データを、スキャナ８やＣＤ−ＲＯＭドライブ装置９ｂ等の外部入力装置からハードディスク装置６に入力し、このハードディスク装置に格納された画像データを管理しているが、例えば、ＣＤ−ＲＯＭ９ａ等の外部記録媒体に格納されている画像データを直接管理することも考えられる。この場合、ＣＤ−ＲＯＭ９ａに記憶されている画像データを示すインデックスデータと、このインデックスデータに対応するキー情報とをハードディスク装置６に記憶する（このインデックスデータと検索キーのセットを「レコード」と呼ぶ）。そして、画像データの検索時には、まずレコードを検索結果として抽出し、しかる後、抽出されたレコードのインデックスデータに基づいてＣＤ−ＲＯＭ９ａから画像データ本体を読み出すようにすればよい。
【００２４】
次に、上記の構成よりなる本システムにおいて実行されるプログラムについて説明する。
【００２５】
図３は、本発明の処理手段（選択手段、第１の抽出手段、第２の抽出手段及び自動抽出手段）としての制御装置１（ＣＰＵ２０１）により実行される本発明に係るプログラムのメインルーチンを示すフローチャートである。制御装置１のメイン電源のオン等に応答して、ＲＯＭ２０３に格納されたプログラムが起動すると、ステップＳ１（以下、「ステップ」を省略し、単に「Ｓ〜」と表記する）において、以下の各処理に必要なフラグ等の初期化や、ディスプレイ２への初期画面（図示せず）の表示等の初期設定処理が行われる。初期画面上には、以下の各処理を示す文字又はアイコン等が表示されており、ユーザーは、キーボード３又はマウス４を操作することにより、初期画面上で所望の処理を選択することができる。
【００２６】
次に、Ｓ２において、ユーザーからの指示入力に基づき、処理の選択がなされたか否かが判定される。ここで、いずれかの処理が選択されていれば、その選択に応じて、データ登録処理（Ｓ３）、キーワード登録処理（Ｓ４）、配色辞書登録処理（Ｓ５）、検索処理（Ｓ６）、その他のメニュー処理（Ｓ７）の各サブルーチンのいずれかが実行され、その後、Ｓ８のその他の処理へ進む。何も選択されていない場合には、何の処理も行われずにＳ８のその他の処理へ進む。Ｓ８のその他の処理が終了すると、Ｓ２に戻り、以後同様の処理が繰り返される。
【００２７】
データ登録処理（Ｓ３）、配色辞書登録処理（Ｓ５）、及び、検索処理（Ｓ６）の詳細な内容については後述する。尚、キーワード登録処理（Ｓ４）、その他のメニュー処理（Ｓ７）、及び、その他の処理（Ｓ８）については、従来の情報処理装置での処理と基本的に同様であり、かつ、本発明には直接関係しないため、説明を割愛する。
【００２８】
図４は、図３のメインルーチンのＳ３において実行されるデータ登録処理サブルーチンの詳細を示すフローチャートである。当該サブルーチンがコールされると、まずＳ３１において、ユーザーからの指示入力等に基づいて、画像データの新規の入力か否かが判定される。新規入力の場合（Ｓ３１においてＹＥＳ）は、Ｓ３２において、画像データを新規にデータベースに登録する（本発明の第１の記憶手段としてのハードディスク装置６に格納する）画像データの取り込み処理が行われ、その後、Ｓ３４に進む。一方、新規入力でない場合（Ｓ３１においてＮＯ）は、Ｓ３３において、ユーザーからの指示入力等に基づき、データベースに登録済の（ハードディスク装置６に格納されている）画像データの中からひとつの画像データが選択され、その後、Ｓ３４に進む。Ｓ３４では、画像データに付加するべき色味などのキー情報を設定するキー情報設定処理が行われる。キー情報設定処理が終了すると、Ｓ３２において新規に登録された画像データ又はＳ３３において選択された画像データと、Ｓ３４において設定されたキー情報とを、互いに対応づけてデータベースに登録（ハードディスク装置６に格納）し（Ｓ３５）、メインルーチンへリターンする。
【００２９】
図５は、図４のデータ登録処理サブルーチンのＳ３２において実行される画像データの取り込み処理サブルーチンの詳細を示すフローチャートである。当該サブルーチンがコールされると、まず、スキャナ８やＣＤ―ＲＯＭドライブ装置９ｂ等により読み込まれた画像データをハードディスク装置６に取り込む処理が行われる（Ｓ３２１）。次に、ユーザーからの指示入力等に基づき、取り込まれた画像データの保存先が設定され（Ｓ３２２）、画像データ名が入力された後（Ｓ３２３）、データ登録処理サブルーチンにリターンする。
【００３０】
図６は、図４のデータ登録処理サブルーチンのＳ３４において実行されるキー情報設定処理サブルーチンの詳細を示すフローチャートである。当該サブルーチンがコールされると、まず、キーワード付加処理（Ｓ３５１）が行われる。キーワード付加処理は、公知のキーワード付加処理と同様の処理であり、ユーザーからの入力等に基づいて、１又はそれ以上の単語又は文章がキーワードとして設定され、この設定されたキーワードが画像データとともにデータベースに登録される。次に、色味付加処理が行われた後（Ｓ３５２）、データ登録処理サブルーチンにリターンする。
【００３１】
図７は、図６のキー情報設定処理サブルーチンのＳ３５２において実行される色味付加処理サブルーチンの詳細を示すフローチャートである。当該サブルーチンがコールされると、まず、ユーザーにより指定された画像データに基づいてディスプレイ２の画面上に表示された処理対象としての画像の特定の領域が指定されたか否かが判定される（Ｓ３５２１）。この領域の指定の方法としては、例えば、キーボード３を用いて数値（例えば座標）を指定したり、マウス４を用いて画面上で指定することが考えられる。特定の領域が指定されていれば（Ｓ３５２１でＹＥＳ）、その指定された領域に対応する画像データに基づいて、当該画像の特徴色が自動抽出され、その後、Ｓ３５２４に進む。一方、特定の領域が指定されていなければ（Ｓ３５２１でＮＯ）、画像全体の画像データに基づいて、特徴色が自動抽出され、その後、Ｓ３５２４に進む。ここで、特徴色としては、例えば、もっとも出現頻度の高い色等が考えられる。そして、Ｓ３５２４において、Ｓ３５２２又はＳ３５２３で抽出された特徴色が色味として設定され、この設定された色味が画像データとともにデータベースに登録され（Ｓ３５２４）、その後、キー情報設定処理サブルーチンにリターンする。
【００３２】
図８は、図３のメインルーチンのＳ５において実行される配色辞書登録処理サブルーチンの詳細を示すフローチャートである。当該サブルーチンの内容の理解の促進のため、まず、配色辞書の構成について説明することにする。
【００３３】
図９は、配色辞書の構成の一例である。配色辞書は、色味と、当該色味に対する適当な配色としての他の色味及びその配色（組み合わせ）に対する配色イメージと、から構成されている。例えば、赤という色味に対しては、適当な配色として、コバルトブルーや緑が登録されている。また、赤とコバルトブルーとの配色（組み合わせ）に対しては、「アメリカン」という配色イメージが登録されており、赤と緑との配色（組み合わせ）に対しては、「クリスマス」という配色イメージが登録されている。同様にして、各種の色味に対して適当な配色及びその配色に対する配色イメージが登録されている。尚、配色辞書は、本発明の第２の記憶手段としてのハードディスク装置６などの記録媒体に格納されている。
【００３４】
図８に戻って、配色辞書登録処理サブルーチンがコールされると、まずＳ５１において、ディスプレイ２の画面上に色味リストが表示される。ここで、色味リストとは、予め登録されている色味の画像をタイル状に並べたものであるが、これは色環であってもよいし、各色味を表すデータを文字や数字で表示したものであってもよい。また、より簡略には、単純に色の名前を文字で表示したものであってもよい。次に、ユーザーからの指示入力に従って、配色辞書に登録すべき色味として、色味リストから第１の色味及び第１の色味と異なる第２の色味が選択される（Ｓ５２及びＳ５３）。色味の選択が終了すると、ディスプレイ２の画面上に配色イメージリストが表示される（Ｓ５４）。ここで、配色イメージとは、配色（２つの色の組み合わせ）に対するイメージを表した言葉であり、配色イメージリストとは、かかる言葉（文字）を列記したリストである。ユーザーは、ディスプレイ２に表示された配色イメージリストの中から、Ｓ５２及びＳ５３で選択した第１及び第２の色味の組み合わせ、つまり、配色にふさわしい配色イメージを選択し、キーボード３又はマウス４により入力する（Ｓ５５）。かかる入力に基づき、配色イメージが選択されると、Ｓ５２及びＳ５３で選択した第１及び第２の色味が、選択された配色イメージにおける適当な配色として、配色辞書に登録され（Ｓ５６）、その後、メインルーチンにリターンする。尚、本実施形態では、配色イメージリストを表示して、その中から配色イメージを選択するようにしているが、ユーザーがキーボード３等により直接文字入力して配色イメージを入力するようにしてもよい。
【００３５】
図１０は、図３のメインルーチンのＳ６において実行される検索処理サブルーチンの詳細を示すフローチャートである。当該サブルーチンがコールされると、まず、ユーザーからの指示入力等に基づいて、検索の種別が、配色検索、キーワード検索、データ名検索のいずれであるかが判定され（Ｓ６１）、判定結果に応じてＳ６２、Ｓ６３又はＳ６４のいずれかに進み、各検索処理サブルーチンが実行された後、メインルーチンにリターンする。尚、キーワード検索処理（Ｓ６３）、データ名検索処理（Ｓ６４）は、それぞれ、キーワード、データ名を検索条件として指定し、指定されたキーワード、データ名と一致するキーワード、データ名をキー情報として有する画像データを検索する処理であり、従来の情報処理装置での処理と基本的に同様であり、かつ、本発明には直接関係しないため、詳細な説明を割愛する。
【００３６】
図１１は、図１０の検索処理サブルーチンのＳ６２において実行される配色検索処理サブルーチンの詳細を示すフローチャートである。当該サブルーチンにおいて、ユーザーからの指示入力に基づいて、検索条件として、データベースの中からひとつの画像データが選択され（Ｓ６２１）、同様に、配色イメージが選択される（Ｓ６２２）と、（ここでユーザーからの検索実行開始を指示する入力を待つようにしてもよい）Ｓ６２１で選択された画像データにキー情報として付加されている色味Ａがハードディスク装置６から読み込まれ（Ｓ６２３）、この色味Ａに対して、Ｓ６２２で選択された配色イメージにおいて適当な配色となる色味Ｂが、配色辞書から取得される（Ｓ６２４）。そして、色味Ｂ又は色味Ｂに類似した色味をキー情報として付加されている画像データが、データベースから検索され（Ｓ６２５）、当該画像データに基づく画像が、検索結果として、ディスプレイ２の画面上に表示され（Ｓ６２６）、その後、検索処理サブルーチンにリターンする。
【００３７】
以上、本発明の一実施形態について説明したが、本実施形態は一例に過ぎず、種々の変形が可能であることは言うまでもない。
【００３８】
例えば、上記の実施形態では、色味が各画像データのキー情報として予めデータベースに登録されているが、検索処理の際にその都度各画像データから特徴色を自動抽出するようにしてもよい。具体的には、図６のキー情報設定サブルーチンにおいて、Ｓ３５２の色味付加処理サブルーチンを省略し、図１１の配色検索処理サブルーチンにおいて、Ｓ６２３の処理に代えて、Ｓ６２１で選択された画像データから特徴色（色味Ａ）を自動抽出する処理を行い、Ｓ６２５の処理に代えて、データベースに登録されている各画像データの特徴色を自動抽出して、色味Ｂ又は色味Ｂに類似した色味（特徴色）を有する画像データを検索する処理を行う。
【００３９】
また、上記の実施形態では、検索結果として、画像を表示しているが、画像データのデータ名を表示するなど、他の表示方法を採用することももちろん可能である。
【００４０】
さらに、上記の実施形態では、検索条件として、画像データのほかに配色イメージをも指定するようにしているが、画像データのみを検索条件として検索することももちろん可能である。
【００４１】
さらにまた、上記の実施形態では、本発明に係るプログラムをＲＯＭ２０３に格納しているが、かかるプログラムの一部または全部をフロッピーディスク５ａ、ＣＤ−ＲＯＭ９ｂ等の記録媒体に格納しておき、必要に応じて、これらの記録媒体からプログラムおよびデータを制御装置１等により読み出し、これを実行するようにしてもよい。
【００４２】
【発明の効果】
本発明の情報処理装置及び情報処理方法によれば、所望の画像データを指定するだけの簡便な操作で、その画像データに配色として適合する他の画像データを検索することができる。従って、ユーザーは、キーワードや色味などの検索キーを指定する必要が無く、しかも、配色の適切性を考慮する必要もないため、極めて操作性に優れる。
【００４３】
尚、本発明の記録媒体上に記録されたプログラムをコンピュータで実行することによっても、上記の情報処理装置及び情報処理方法と同様の効果が奏される。
【図面の簡単な説明】
【図１】本発明の一実施の形態である情報処理装置の構成の概略を示す図である。
【図２】本実施形態の情報処理装置の制御ブロック図である。
【図３】本実施形態の情報処理装置において実行されるプログラムのメインルーチンを示すフローチャートである。
【図４】データ登録処理サブルーチンを示すフローチャートである。
【図５】画像データの取り込み処理サブルーチンを示すフローチャートである。
【図６】キー情報設定処理サブルーチンを示すフローチャートである。
【図７】色味付加処理サブルーチンを示すフローチャートである。
【図８】配色辞書登録処理サブルーチンを示すフローチャートである。
【図９】配色辞書の構成の一例を示す図である。
【図１０】検索処理サブルーチンを示すフローチャートである。
【図１１】配色検索処理サブルーチンを示すフローチャートである。
【符号の説明】
１…制御装置
２…ディスプレイ
３…キーボード
４…マウス
５ａ…フロッピーディスク
５ｂ…フロッピーディスクドライブ装置
６…ハードディスク装置
７…プリンタ
８…スキャナ
９ａ…ＣＤ−ＲＯＭ
９ｂ…ＣＤ−ＲＯＭドライブ装置
１０…スピーカ
１１…マイクロホン
２０１…ＣＰＵ
２０２…クロック
２０３…ＲＯＭ
２０４…ＲＡＭ
２１５…拡張スロット
２２０…データバス
【図１】
0003619685.tif 000002
【図２】
0003619685.tif 000003
【図３】
0003619685.tif 000004
【図４】
0003619685.tif 000005
【図５】
0003619685.tif 000006
【図６】
0003619685.tif 000007
【図７】
0003619685.tif 000008
【図８】
0003619685.tif 000009
【図９】
0003619685.tif 000010
【図１０】
0003619685.tif 000011
【図１１】
0003619685.tif 000012